(57)【特許請求の範囲】
【請求項１】
スイッチ本体と、該スイッチ本体に着脱可能、且つ、揺動可能に軸支された操作板と、上記操作板を操作しない状態においては該操作板は中立状態を保持し、操作板の左右両端部を交互に押圧操作することによりスイッチ本体の開閉機構を反転動作させるスイッチであって、
上記スイッチ本体には上記操作板の次回の操作方向を選択的に指示する操作方向表示手段を設け、該操作方向表示手段は傾動反転表示部と、操作方向を表示する発光表示部とを有し、上記発光表示部は次回の操作方向を発光表示することを特徴とするスイッチ。
【請求項２】
スイッチ本体と、該スイッチ本体に着脱可能、且つ、揺動可能に軸支された操作板と、上記操作板を操作しない状態においては該操作板は中立状態を保持し、操作板の左右両端部を交互に押圧操作することによりスイッチ本体の開閉機構を反動作させるスイッチであって、
上記スイッチ本体には上記操作板の次回の操作方向を選択的に指示する操作方向表示手段を設け、該操作方向表示手段は傾動反転表示部と、操作方向を表示する発光表示部とを有し、該発光表示部は次回の操作方向を発光表示すると共に、次回の操作方向ではない側の操作板の押圧操作を不能にする操作防止機構を備えることを特徴とするスイッチ。
【請求項３】
前記操作防止機構は、前記操作板の押圧操作によって押圧操作側に選択的にスライド移動し、前回押圧した側の操作板の押圧操作を不能にするスライドロック部材を有することを特徴とする請求項２記載のスイッチ。
【請求項４】
前記操作板の回動軸心と、前記傾動反転表示部の傾動軸心とを同一の軸心にすることを特徴とする請求項１又は２記載のスイッチ。
【請求項５】
前記操作方向表示手段を前記操作板の横方向中央部に設けたことを特徴とする請求項１又は２記載のスイッチ。
【発明の詳細な説明】
【０００１】
【発明の属する技術分野】
本発明は、スイッチ機構を作動させる操作板が操作をしない状態においては常に中立状態を維持しているスイッチに関する。
【０００２】
【従来の技術】
従来、スイッチとしては、本出願人により出願された特開平２−２９１６２０号公報に開示されているものがある。このスイッチは、操作板の一端を押圧して反転させると、操作板に設けられた押圧部によって転換子の受圧部が押圧され、これにより、操作板の反転角度が拡大されて転換子が同一方向に大きく反転される。この転換子の反転により転換子が支持体との間に反転可能に支持した可動接触子が反転させられ、可動端子に設けられた可動接点が固定端子に設けられた固定接点に接続または離反して電気回路の接続・遮断がなされるように構成されているものである。このスイッチは操作板が大きいため、操作がし易いこと、豪華に見えることなど消費者の購入意欲を喚起できるものであった。
【０００３】
【発明が解決しようとする課題】
しかしながら、上述のスイッチでは転換子が上記操作板と連動して作動する為、転換子が反転している状態では操作板も転換子と同一方向に反転状態を維持していることになり、複数の操作板が並設されている場合は、スイッチ毎に入り切りが異なっていると、各操作板の反転方向が異なることになり見栄えがよくない問題があった。
【０００４】
そこで、ピアノハンドル式スイッチ等の操作板の不揃いを解消したスイッチ装置が提案されているが、その場合にはＯＮ・ＯＦＦまたは強・弱等の状態表示が使用者に分かりやすく適切になされる必要があった。
【０００５】
本発明は上記問題点を解消し、操作板の次回の押圧操作方向、及びスイッチの状態を容易に確認することができ、確実にスイッチの切り換えを行うことのできる操作性に優れたスイッチを提供することをその課題とする。
【０００６】
【課題を解決するための手段】
前記課題を解決するため、本発明に係るスイッチは、スイッチ本体と、該スイッチ本体に着脱可能、且つ、揺動可能に軸支された操作板と、上記操作板を操作しない状態においては該操作板は中立状態を保持し、操作板の左右両端部を交互に押圧操作することによりスイッチ本体の開閉機構を反転動作させるスイッチであって、上記スイッチ本体には上記操作板の次回の操作方向を選択的に指示する操作方向表示手段を設け、該操作方向表示手段は傾動反転表示部と、操作方向を表示する発光表示部とを有し、上記発光表示部は次回の操作方向を発光表示することを特徴とする。
【０００７】
なお、本発明に係るスイッチは、スイッチ本体と、該スイッチ本体に着脱可能、且つ、揺動可能に軸支された操作板と、上記操作板を操作しない状態においては該操作板は中立状態を保持し、操作板の左右両端部を交互に押圧操作することによりスイッチ本体の開閉機構を反動作させるスイッチであって、上記スイッチ本体には上記操作板の次回の操作方向を選択的に指示する操作方向表示手段を設け、該操作方向表示手段は傾動反転表示部と、操作方向を表示する発光表示部とを有し、該発光表示部は次回の操作方向を発光表示すると共に、次回の操作方向ではない側の操作板の押圧操作を不能にする操作防止機構を備えることを特徴とする。
【０００８】
また、前記操作防止機構は、前記操作板の押圧操作によって押圧操作側に選択的にスライド移動し、前回押圧した側の操作板の押圧操作を不能にするスライドロック部材を有し、前回押圧した側を連続して押圧できないようにしてもかまわない。
【０００９】
そして、前記操作板の回動軸心と、前記傾動反転表示部の傾動軸心とを同一の軸心にすることが好ましい。
【００１０】
さらに、前記操作方向表示手段を前記操作板の横方向中央部に設けてもよい。
【００１１】
【発明の実施の形態】
以下、図面によって本発明に係るスイッチについて説明する。図１において符号Ａは、スイッチを示し、このスイッチＡは、スイッチ本体１に着脱可能、且つ、揺動可能に装着された操作板５を押圧操作することにより内部に設けられた開閉機構Ｂを駆動し、電気回路の開閉を行うものであり、この操作板５の中央に形成された開口部６から露出した操作方向表示手段Ｃにより、操作板５の次回の押圧操作の方向を判断できるようにしたものである。
【００１２】
図２は、スイッチ本体１の分解斜視図を示す。図１において、符号１０はスイッチ本体１を構成する器体を示し、この器体１０は開閉機構Ｂ及びその他の部品を収納する為の上部が開口した箱状のケース本体１１と、このケース本体１１の開口部を閉じる蓋体１２と、蓋体１２の上部に取り付けられるカバー１３とからなり、ケース本体１１の両側面に形成された係止突部１１ａに蓋体１２に形成されたフック１２ａを係止させることによりケース本体１１と蓋体１２とが一体になり、蓋体１２の両側面に形成された係止突部１２ｂにカバー１３に形成されたフック１３ａを係止させることにより蓋体１２とカバー１３とが一体になり、全体として箱状の器体１０を構成することができる。そして、蓋体１２には後述する作動子３０の上部を突出させる貫通孔１５が、カバー１３には貫通孔１６がそれぞれ形成されている。
【００１３】
そして、図３に示すように、カバー１３の長手方向両側中央には貫通孔１６内に向かって後述する傾動反転表示部７の支軸８４に係合する表示体軸受８５が形成され、長手方向両側面中央には外方に向かって操作板５を軸支させる操作板支軸１１５が形成され、上記表示体軸受８５の軸心と操作板支軸１１５の軸心とは、傾動反転表示部７と操作板５とが同一軸上で揺動できるように同一軸心上に形成されている。
【００１４】
ケース本体１１には、図４に示すように、電線が個別に挿入される電線挿入孔１７と、挿入された電線の係止を解除する解除部材１８を操作する為の工具を挿入する工具挿入口１９が下方に開口して形成され、ケース本体１１の内部には上記電線が接続される共通端子２０、固定端子２１及び切換端子２２が配置され、これらの端子に対応すると共に、上記電線挿入孔１７の上部に配置され、挿入された電線を係止すると共に電線と端子とを導通させる押えバネ２３が配置されている。そして、共通端子２０には、スプリング２４で上方に付勢されると共に、可動接触子２５を支持する側面視略Ｖ字状の導電性を有する支持板２６が前方に突出して連結されている。可動接触子２５は、図４（ｂ）上で、左右に反転すると可動接点２５ａが固定端子２１の固定接点２１ａと切換端子２２の切換接点２２ａとに選択的に接触し、電気回路の接続・遮断ができるように構成されている。なお、符号２７、２８は、それぞれ固定端子２１、切換端子２２にボス２１ｂ、２２ｂをカシメることによって固定される接続バネで、後述する発光体６０に接続された接触端子２９ａ、２９ｂにそれぞれ接触するように形成されている。
【００１５】
上記可動接触子２５は、開閉機構Ｂによって作動させられるが、開閉機構Ｂは、作動子３０と、転換子３１と、上記作動子３０を常に中立状態に保つ中立保持手段３２とで構成されている。
【００１６】
作動子３０は、中央に、後述する表示体駆動軸６３を挿通させる開口部３５が形成された四角い板状部材で長手方向両端部の下面３６は後述する転換子３１の第１の押圧受部５２を押圧する第１の押圧部を構成し、両側部裏面にそれぞれ形成された一対の押圧部３７は転換子３１の第２の押圧受部５３を押圧する第２の押圧部を構成するとともに、両側面中央には蓋体１２の作動子軸受４０に軸支される支軸４１が側方に突出して形成され、４隅には上方に突出して押圧受突部４５が形成されると共に、転換子３１の上面４隅に上方に突出したガイド片４２の上部を挿通させるガイド穴４３が形成されている。さらに、この作動子３０の長手方向両端部には受け片４４が長手方向に突出して形成されている。この受け片４４は、中立保持手段３２に係合し、この中立保持手段３２よって常に上方に付勢され、作動子３０の支軸４１を蓋体１２の作動子軸受４０に係合させると共に両端から上方に付勢されて作動子３０の中立状態を維持させるものである。
【００１７】
転換子３１は、中央に、後述する表示体駆動軸６３を挿通させる開口部５０が形成された枠体で、上面の４隅には上述の作動子３０のガイド穴４３に挿通するガイド片４２が立設され、長手方向両側部の中央下側には上述の可動接触子２５の側部片２５ｂの上端に係合する作動アーム５１が下方に突出して形成され、長手方向両端に形成された斜面からなる第１の押圧受部５２と、長手方向中央の両側部に対をなして側方に突出する第２の押圧受部５３とが形成されるとともに、蓋体１２に形成された転換子軸受５５に揺動可能に支持される支軸５６が側方に突出して形成されている。
【００１８】
上記転換子３１には、ネオン管からなる発光体６０を搭載した発光体ホルダー６１が一体に組み付けられている。この発光体ホルダー６１は、両側部に発光体６０に接続された接触端子２９ａ、２９ｂが設けられ、発光体６０の両側に形成された係合孔６２に上記転換子３１の作動アーム５１を挿通させることにより転換子３１に一体に組み付けられている。さらに、上記発光体ホルダー６１には表示体駆動軸６３が一体に組み付けられている。この表示体駆動軸６３は一対の挟持片６３ａと挟持片６３ａの連結部から上方に突出した軸体６３ｂとからなるもので、挟持片６３ａを発光体６０の両側部に立設させた係合片６４に挟持させることにより、転換子３１と一体にし、転換子３１の揺動を増幅して軸体６３ｂの先端が大きく揺動するようにしたものである。この軸体６３ｂの上部は作動子３０の中央に形成された開口部３５から上方に突出し、後述する傾動反転表示部７を揺動させる。
【００１９】
中立保持手段３２は付勢バネ支持体６７と、付勢バネであるコイルバネ６８と、バネ受け６９とからなり、図５（ｂ）に示すように、付勢バネ支持体６７の上部に上方に突出して形成された一対の係止片７０を蓋体１２の係止孔７１に挿通させ、係止孔内の切欠き部７１ａに係止させることにより蓋体１２と一体化され、蓋体１２の長手方向両端の内壁に上下方向に形成されたガイド溝７２に添って上下動可能なバネ受け６９に上下方向に形成されたバネ収容凹部６９ａと、付勢バネ支持体６７の上面のバネ受け凹部６７ａとでコイルバネ６８をある程度収縮して支持し、コイルバネ６８の弾発力でバネ受け６９を常に上方に付勢している。このバネ受け６９は、図５（ｃ）に示すように、両側部に形成されたフック７３がガイド溝７２の両側壁のリミッタ７４に当接するまで上昇できる。バネ受け６９の上端は作動子３０の受け片４４にそれぞれ当接し、作動子３０に上部から外力が加えられていない状態では作動子３０を両側から同じ高さに押しあげて中立状態（水平状態）を維持している。
【００２０】
ところで、上記スイッチ本体には操作方向表示手段Ｃが設けられている。この操作方向表示手段Ｃは、傾動反転表示部７と発光表示部７９とで構成されている。傾動反転表示部７は、不透光性を有し、内部には下方に開口した長方形の凹部８１が長手方向に形成され、凹部８１内には表示体駆動バネ８２が嵌め込まれ、一体に組み付けられている。この表示体駆動バネ８２は両側から内方に向かって一対のバネ部８２ａがハの字状に形成され、このバネ部８２ａに、前記表示体駆動軸６３の先端に係合する駆動軸受８３が挟持されている。上記バネ部８２ａは表示体駆動軸６３が揺動し、駆動軸受８３をスライドさせる際、撓むことによって駆動軸受８３のスライド運動と、傾動反転表示部７の揺動運動とを円滑にリンクし、駆動軸受８３のスライド運動を傾動反転表示部７の揺動に変換させることができる。
【００２１】
そして、傾動反転表示部７の長手方向両側部の中央には側方に突出して支軸８４が形成され、この支軸８４がカバー１３の表示体軸受８５に揺動可能に軸支されている。また、傾動反転表示部７の長手方向両端部には上下に貫通した貫通孔７８ａ、７８ｂがそれぞれ形成されている。
【００２２】
発光表示部７９は、上記傾動反転表示部７の長手方向両端部に上下に貫通して形成された貫通孔７８ａ、７８ｂにそれぞれ嵌め込まれる２つのフード７９ａ、７９ｂで構成され、このフード７９ａ、７９ｂは赤色や緑色で透光性を有するアクリルなどの樹脂で、発光制御部８６によってフード７９ａ、７９ｂの何れか一方が選択的に発光させられるように構成されているものである。この発光制御部８６は、傾動反転表示部７の下方に配置され、器体１０内に配置された発光体６０の光を選択的にフード７９に照射する透光体で構成され、この透光体（発光制御部）８６は２組のプリズムで構成され、発光体６０から照射された光を４５度の粗面８６ａで透光体８６の内部に向かって水平方向に屈折させ、更に４５度の鏡面８６ｂで上方に向かって屈折させて上面に形成された２つの投光面８７ａ、８７ｂからそれぞれ上方を照射するように形成されているものである。
【００２３】
なお、符号８８は、投光面８７以外の平坦な面に貼着され、余計な光を上方に発散させないための不透光性を有する遮光板である。この遮光板は印刷技術による遮光層で構成することもできる。そして、透光体８６は長手方向両端の両側面に形成された係合溝８９が、カバー１３の両端からそれぞれ中央に向かって突出した一対の係合縁９０にスライド可能に係合し、中央部に上下に貫通した貫通孔９１に上述の表示体駆動軸６３の軸体６３ｂが挿通し、表示体駆動軸６３の揺動に連動してカバー１３の上面を係合縁９０に案内されて表示体駆動軸６３の揺動方向と同一方向にスライド移動可能に配置されている。そして、投光面８７ａ、８７ｂ間の距離は透光体８６がスライド移動した時、フード７９ａの下方に投光面８７ａが位置するか、フード７９ｂの下方に投光面８７ｂが対応するように形成されている。
【００２４】
操作板５は、図６及び図７に示すように、長方形の板状で、中央には傾動反転表示部７を露出させる開口部６が形成されるとともに、操作板５の機能を説明するネームカード９５を外部から視認させる為の窓９６が形成されている。そして、裏面の周囲に不透光の印刷を施した透明なフィルム（図示せず）を表面側に成形時に一体化し、不透光の枠部９７ａが設けられ、中央部分が透明なネームホルダー９７を、両端部に形成された係合突部９７ｂが上記窓９６の両側部に形成された段部９６ａに形成された係合穴９６ｂに係合するように上面から嵌め込み、超音波溶着で段部９６ａに設けられた溶着突起９６ｃをネームホルダー９７に溶着することにより、窓９６を塞ぐようにネームホルダー９７を操作板５に一体化することができる。なお、上記枠部９７ａは、溶着部分など余分なものが外側から視認できないように遮蔽するものである。
【００２５】
ネームカード９５は、予め玄関、廊下などの場所の名称が表記されているもので、スライド扉９８を閉じることによりネームホルダー９７とスライド扉９８との間に収容されるものである。スライド扉９８は、方形の板状で両側面には係合縁１００、１０１が形成され、窓の内壁面に形成されたガイド縁１０２にガイドされてスライド移動して開閉することにより、ネームカード９５の交換を容易に行うことができるようにしたものである。係合縁１００は、ガイド縁１０２に連設した抜け止め１０３に係合し、一旦窓を塞いだ状態から簡単に抜けないように係止されている。なお、符号１０４は、長穴で、係合縁１００が抜け止め１０３を乗り越える際撓みを生じて、スライド扉９８をスムーズにスライドさせる為のものである。そして、スライド扉９８の裏面には後述する支持バネ１１０と、押圧突部１１１と、回動阻止突部１１２とが設けられている。
【００２６】
一方、操作板５の裏面には、カバー１３に形成された操作板支軸１１５に係合させることにより、この操作板支軸１１５を中心に操作板５を上下に回動させることができる軸受１１６が、開口部６を挟んで上下に形成されている。この軸受１１６は一対の挟持片からなり、操作板支軸１１５に着脱できるように構成されている。
【００２７】
そして、スライド扉９８に設けられた支持バネ１１０と、押圧突部１１１と、回動阻止突部１１２と同じ支持バネ１１０と、押圧突部１１１と、回動阻止突部１１２とが、上記軸受１１６を中心に対称に設けられている。
【００２８】
支持バネ１１０は、内部に向かって操作板５の裏面から離れるように斜めに形成された板バネで、操作板５及びスライド扉９８に形成されたボス１１７に取り付けた後、カシメることにより操作板５及びスライド扉９８にそれぞれ固定され、操作板５をスイッチ本体１に装着した状態では支持バネ１１０の先端は常にカバー１３の上面に当接し、操作板５の両側部を下方から同時に上方に突き上げるように作用し、操作板５の中立状態を保持することができる。なお、上述の支持バネ１１０は上記カバー１３の上面に設け、スイッチ本体側から操作板５を突き上げるようにしても構わない。
【００２９】
押圧突部１１１は上述の作動子３０の上面４隅に立設した押圧受突部４５に対応し、操作板５を揺動させた時、下動する側の押圧突部１１１が押圧受突部４５を押圧し、作動子３０を操作板５と同一方向に支軸４１を中心に揺動させるものである。なお、図６（ｂ）において、符号１１８はスライド扉９８を引いた時に収容する格納凹部で、１１９は開放したスライド扉９８が格納凹部１１８から離脱しないように押さえる抑止板を示し、この抑止板１１９は成形時には立設して成形され、スライド扉９８を組み込んだ時点で適宜手段で格納凹部１１８側に湾曲させればよい。
【００３０】
ところで、上述の操作板５の下方には、前回押圧した側を再度押圧しても操作板５が同一方向に回動しないように阻止し、押圧操作を不能にするための操作防止機構が設けられている。この操作防止機構は蓋体１２とカバー１３との間の空間にスライド可能に配置されたスライドロック部材１２０で構成されている。このスライドロック部材１２０は、略方形の枠体で、長手方向両側部には作動バネ１２１が設けられている。この作動バネ１２１は、側面視略八の字状に両端が斜め下方に伸びた板バネで、ボス１２２をカシメることによってスライドロック部材１２０上に固定されているもので、この作動バネ１２１の先端は、それぞれ作動子３０のガイド穴４３から上方に突出した転換子３１のガイド片４２の上部に係合し、転換子３１が揺動するとガイド片４２によって作動バネ１２１が揺動方向に押圧され、この作動バネ１２１を介して押圧されたスライドロック部材１２０が蓋体１２とカバー１３との間の空間を転換子３１の揺動方向と同一の方向にスライド移動させることができる。移動が完了すると、スライド方向側の端辺１２０ａは今回押圧操作した側の操作板５の回動阻止突部１１２の直下に位置し、回動阻止突部１１２の先端が端辺１２０ａの上面に当接し、同じ側の操作板５の押圧操作を不能にするように構成されている。
【００３１】
次に、スイッチの作動態様について説明する。図１０（ａ）は、転換子３１が右に回動した状態で、作動子３０は両端が中立保持手段３２によって上方に付勢され、作動子軸受４０に支軸４１が支持されて水平状態（中立状態）を維持している状態を示している。操作板５は支持バネ１１０とともに押圧突部１１１が、水平状態を維持している作動子３０の押圧受突部４５の先端に対応し、中立状態（図１０（ａ）では水平状態）を維持している。
【００３２】
この時は、図１２（ａ）に示すように、透光体８６の投光面８７ｂが表示体７の貫通孔７８ｂの下方に位置し、ネオン管６０の光でフード７９ｂを発光させ操作板５の押圧可能な方向は図面上で左側であることを示している。
【００３３】
ここで、操作板の一方の端部（図１０（ｂ）では、左側）を押圧すると支持バネ１１０を撓ませながら、操作板５は支軸１１５を中心に左側が下がる方向に回動する。操作板５の下面に突出形成された押圧突部１１１は、作動子３０の押圧受突部４５の先端に当接し、これを押し下げる。（図１０（ｂ）参照）。作動子３０が回動を始めると、作動子３０の両端部の下面（第１の押圧部）３６のうち下動する側の第１の押圧部３６が転換子３１の第１の押圧受部５２を押圧し、転換子３１の回動が始まる。この時、転換子３１の作動アーム５１の先端は、支軸５６を中心に下方に円弧を描きながら回動するので、可動接触子２５の可動接点２５ａは押し下げられながら当接している切換接点２２ａから離れ、接点同士は擦り合いながら離れることになり、接触面がクリーニングされ、常に接点面を良好な状態に維持することができる。第１の押圧部３６と第１の押圧受部５２との回転軸は異なるため、さらに、操作板５を押し操作すると、第１の押圧部３６に代わって、第２の押圧部３７が第２の押圧受部５３に当接し（図１１（ｂ）（ｃ）参照）、この第２の押圧部５３を押圧して、転換子３１の回動を継続させる（図１１（ｄ）（ｅ）参照）。さらに操作板５を押圧し、作動アーム５１が垂直状態を越えるとスプリング２４の復元力で可動接触子２５が作動アーム５１を突き上げるようにして転換子３１を反転させるとともに、可動接触子２５が反転し、可動接点２５ａは切換接点２２ａに接触することになり、電気回路の切り換えがなされる（図１０（ｄ）参照）。
【００３４】
転換子３１が反転すると、ガイド片４２も回動し、ガイド片４２の先端部がスライドロック部材１２０に固定された作動バネ１２１の先端に当接し、この作動バネ１２１を転換子３１の回動方向と同一方向に押圧し、作動バネ１２１を介してスライドロック部材１２０を転換子３１の回動方向と同一方向にスライド移動させようとする。しかし、図１０（ｄ）に示すように、スライドロック部材１２０の移動に先立って回動阻止突部１１２が既に下動し、先端がスライドロック部材１２０の軌道上に位置しているため、スライドロック部材１２０の端辺１２０ａは回動阻止突部１１２の側面に当接し、スライド移動を完了することができない。そのため、ガイド片４２に押される側の作動バネ１２１は撓んで、操作板５の押し操作が解除されるまで転換子３１（ガイド片４２）の押圧力を吸収している。
【００３５】
そして、図１０（ｅ）に示すように、操作板５の押圧を解除すると、圧縮されていた中立保持手段３２のコイルバネ６８の復元力で作動子３０を復帰回動させ、押圧受突部４５が操作板５の押圧突部１１１を押し上げるとともに、支持バネ１１０の復元力で操作板５が水平状態（中立状態）に復帰回動する。操作板５が復帰回動すると、回動阻止突部１１２も上動することになり、スライドロック部材１２０の移動阻止が解除されるので、作動バネ１２１の復元力でスライドロック部材１２０の端辺１２０ａが回動阻止突部１１２の下方に位置するまで移動することができる。この状態では、操作板５の前回押圧した側（図１０（ｅ）において左側）を押圧しようとしても、回動阻止突部１１２の先端がスライドロック部材１２０の上面に当接し、操作板５の同一側の押圧を連続してできないように阻止することができ、使用者に、既にスイッチが押し操作されたことを知らせることができる。
【００３６】
そして、転換子３１が反転することにより、表示体駆動軸６３も回動することになり、表示体駆動軸６３の先端に係合する駆動軸受８３が傾動反転表示部７内をスライド移動することにより傾動反転表示部７が支軸８４を中心に反転回動する。この時、ネオン管（発光体）６０の発光する光は透光体８６の内部で屈折し２つの投光面８７ａ、８７ｂから上方を照射しているが、図１２（ｂ）に示すように、透光体８６もスライド移動し、スライド方向と反対方向に位置する投光面８７ａが傾動反転表示部７の貫通孔７８ａの下方に位置することになり、投光面８７ａからの光を通過させフード７９ａを発光させる。ところで、スライド方向側の投光面８７ｂは傾動反転表示部７の貫通孔７８ｂの直下を外れ、しかも、遮光板８８が貫通孔７８ｂの直下に位置し、貫通孔７８への光を遮断しているので、フード７９ｂの照射が行われず、フード７９ａのみの照射が行われることになり操作板５の次回の押圧操作方向を使用者に知らせることができる。
【００３７】
上述のように、作動子３０は操作板５によって作動させられ、転換子３１は作動子３０によって作動させられるが、作動子３０と転換子３１とは一体として形成されていないため、操作板５によるスイッチの切り換え操作は転換子３１によって記憶され、作動子３０は転換子３１を反転させた後、中立保持手段３２によって、操作板５の押圧が解除されると同時に復帰回動し、中立状態に戻る。作動子３０が復帰回動することにより、操作板５も復帰回動させられ、中立状態に戻ることができる。操作板５を押圧操作していない時は、操作板５は中立状態を維持しているが、傾動反転表示部７の傾動状態及び発光表示部７９の発光位置により、操作板の次回の押圧操作側を目視で確認することができる。
【００３８】
さらに、スライドロック部材１２０によって前回押圧操作した側の連続押圧が阻止されることにより、過った押圧操作を防止することができる。
【００３９】
次に、図１３で透光体の他の例について説明する。符号１５０は、前述の発光体６０の光を表示体７の長手方向両端部に形成された貫通孔７８ａ、７８ｂに誘導する透光体を示し、この透光体１５０は対称に形成された２つの平行四辺形状のプリズム１５１、１５２で構成され、このプリズム１５１、１５２は上面に突出形成された嵌合軸１５３、１５４が２つのプリズムを連結する板状の連結部材１５５の両端部に形成された嵌合孔１５６、１５７にそれぞれ嵌合することにより一体に形成され、プリズム１５１、１５２の両側部にそれぞれ形成された係合溝１５９、１６０がカバー１３に形成された係合縁９０にスライド可能に係合し、連結部材１５５の中央部に上下に貫通して形成された貫通孔１５８に挿通された表示体駆動軸６３の軸体６３ｂが揺動することによってカバー１３の上面をスライド移動できるようになっているものである。
【００４０】
上記透光体１５０は、発光体６０の光を受光面１５１ａ、１５２ａで受光すると、発光体６０の光は水平な受光面１５１ａ、１５２ａからプリズム１５１、１５２内に進入し、４５度の鏡面１５１ｂ、１５２ｂでプリズム内を水平方向に屈折し、さらに４５度の鏡面１５１ｃ、１５２ｃでそれぞれ上方に向かって屈折し、水平な投光面１５１ｄ、１５２ｄから上方を照射するように形成されているもので、図１４（ａ）に示すように、軸体６３ｂの揺動によって透光体１５０が図面上で右方向にスライド移動し、投光面１５１ｄが表示体７の貫通孔７８ｂの下方に位置した時は、発光体６０の光がフード７９ｂを発光させて操作板５の押圧可能な方向は図面上で左側であることを示し、図１４（ｂ）に示すように、軸体６３ｂの揺動によって透光体１５０が図面上で左方向にスライド移動し、投光面１５２ｄが表示体７の貫通孔７８ａの下方に位置した時は、発光体６０の光がフード７９ａを発光させて操作板５の押圧可能な方向は図面上で右側であることを示している。
【００４１】
上述の透光体によれば、受光面からプリズム内に進入した発光体の光は２つの鏡面でロスすることなく屈折して投光面の上方にあるフードを照射し、フードをより明るく発光させることができるので、操作板の押圧可能な方向をより鮮明に指示することができる。
【００４２】
【発明の効果】
請求項１の発明によれば、操作板を押圧操作しない時は操作板は中立状態を維持し、操作板の左右両端部を交互に押圧操作することによりスイッチ本体の開閉機構を反転動作させることができ、外観上の見栄えのよさとともに、操作板の次回の押圧操作側を傾動反転表示部の傾きと、発光表示部の発光表示位置とにより判断することができ、操作のしやすいスイッチを実現することができる。
【００４３】
請求項２の発明によれば、一旦押圧操作した側の操作板は連続して押圧することができないので、操作方向表示手段で表示される以外に操作板を実際に押圧操作することにより判断することができる。
【００４４】
請求項３の発明によれば、操作板を押圧操作すると、スライドロック部材が押圧操作した側の操作板の下側に選択的に移動し、前回押圧した側の操作板の連続押圧操作を不能にすることができ、操作板の誤操作を防止することができる。
【００４５】
請求項４の発明によれば、操作板の揺動軸心と傾動反転表示部の傾動軸心とが同一軸心上に設けられているので、操作板の揺動方向と傾動反転表示部の揺動方向とを同じにすることができ、傾動反転表示部の傾きから次回の操作板の押圧操作側を容易に認識することができる。
【００４６】
請求項５の発明によれば、操作方向表示手段を操作板の中央に設けたので、操作方向表示手段の右半分は操作板の右側に位置し、操作方向表示手段の左半分は操作板の左側に位置するので、次回の操作板の押圧操作側を容易に認識することができる。
【図面の簡単な説明】
【図１】本発明に係るスイッチの分解斜視図
【図２】スイッチ本体の分解斜視図
【図３】操作方向表示手段の構成を示す分解斜視図
【図４】（ａ）（ｂ）はスイッチ本体の正面図及び要部縦断面図
【図５】（ａ）（ｂ）（ｃ）は蓋体の背面図、Ｂ−Ｂ線断面図及びＣ−Ｃ線断面図
【図６】（ａ）（ｂ）は操作板の一例を示す正面側斜視図及び背面側斜視図
【図７】上記操作板及び構成部品の正面図、背面図及び中央縦断面図
【図８】スイッチの横方向の要部断面図
【図９】スイッチの縦方向の要部断面図
【図１０】（ａ）〜（ｅ）はスイッチの作動態様を説明する動作説明図
【図１１】（ａ）〜（ｆ）は転換子の作動状態を説明するスイッチ本体の要部断面図
【図１２】（ａ）（ｂ）は操作方向表示手段の作動態様を説明する要部断面図
【図１３】透光体の他の例を示す斜視図
【図１４】（ａ）（ｂ）は上記他の例の透光体を有する表示体と発光体との関係を示す要部断面図
【符号の説明】
１  スイッチ本体
５  操作板
７  傾動反転表示部
７９  発光表示部
１２０  スライドロック部材（操作防止機構）
Ａ  スイッチ
Ｂ  開閉機構
Ｃ  操作方向表示手段
【図１】
0004264127.tif 000002
【図２】
0004264127.tif 000003
【図３】
0004264127.tif 000004
【図４】
0004264127.tif 000005
【図５】
0004264127.tif 000006
【図６】
0004264127.tif 000007
【図７】
0004264127.tif 000008
【図８】
0004264127.tif 000009
【図９】
0004264127.tif 000010
【図１０】
0004264127.tif 000011
【図１１】
0004264127.tif 000012
【図１２】
0004264127.tif 000013
【図１３】
0004264127.tif 000014
【図１４】
0004264127.tif 000015